(57)【要約】【課題】遊技盤を構成する透光性部材を不透光性部材に対して容易に着脱し得るようにする。【解決手段】表側から背面側を視認不能で、所要形状の開口部１４が開設された不透光性部材１２と、不透光性部材１２の開口部１４に着脱可能に挿入され、背面側に臨ませた図柄表示装置を表側から視認可能な透光性部材２０と、不透光性部材１２に配設され、開口部１４に挿入した透光性部材２０を固定する固定位置および透光性部材２０を取外し可能な固定解除位置へ操作し得る固定手段３０とを設ける。そして、透光性部材２０を不透光性部材１２の開口部１４に挿入した状態で固定手段３０を固定解除位置から固定位置へ操作することにより、不透光性部材１２に透光性部材２０が固定され、固定手段３０を固定位置から固定解除位置へ操作することにより、不透光性部材１２の開口部１４から透光性部材２０を取外し得るよう構成した。【選択図】図２
2006311954.tif 000002
【特許請求の範囲】
【請求項１】
遊技盤表側から背面側を視認不能で、所要形状の開口部が開設された不透光性部材と、
前記不透光性部材の開口部に着脱可能に挿入され、背面側に臨ませた演出手段を表側から視認可能な透光性部材と、
前記不透光性部材に配設され、前記開口部に挿入した透光性部材を固定する固定位置および透光性部材を取外し可能な固定解除位置へ操作し得る固定手段とからなり、
前記透光性部材を不透光性部材の開口部に挿入した状態で前記固定手段を固定解除位置から固定位置へ操作することにより、該不透光性部材に透光性部材が固定され、該固定手段を固定位置から固定解除位置へ操作することにより不透光性部材の開口部から透光性部材を取外し得るよう構成された遊技盤を設けた
ことを特徴とする遊技機。
【請求項２】
前記固定手段は、前記不透光性部材に形成した挿入孔に回転可能に挿入される軸部と、該軸部の一方の端部に形成され、前記挿入孔の外方に位置する突出部と、該突出部に形成されて前記透光性部材に当接可能な固定部と、該固定部を固定位置および固定解除位置へ回動操作し得る操作部と、該軸部の他方の端部に形成されて半径方向へ突出し、前記不透光性部材に設けられた係合部に係合して前記挿入孔からの軸部の脱落を防止する脱落防止部とを備え、
前記操作部の回動操作により前記固定部を固定位置へ変位することで、該固定部が前記透光性部材に当接して不透光性部材に透光性部材が固定され、該操作部の回動操作により固定部を固定解除位置へ変位することで、固定部が透光性部材から離間して不透光性部材から透光性部材を取外し得る請求項１記載の遊技機。
【請求項３】
前記透光性部材は、平板状に形成されて前記開口部に挿入される本体部、および該本体部の外周縁から外方へ延出する保持部からなり、
前記不透光性部材には、前記透光性部材における本体部の外郭形状に整合する寸法で前記開口部が開設されると共に、前記保持部に対応する位置に、該保持部が嵌合可能な凹部が形成され、
前記本体部を開口部に挿入すると共に前記保持部を凹部に嵌合した際に、該本体部の表面が不透光性部材の表面と略同一平面上に位置し、この状態で不透光性部材および固定手段により透光性部材を挾持固定するようにした請求項１または２記載の遊技機。
【請求項４】
前記透光性部材は非点対称な形状に形成されている請求項１〜３の何れかに記載の遊技機。
【発明の詳細な説明】
【技術分野】
【０００１】
本発明は、遊技盤を備える遊技機に関するものである。
【背景技術】
【０００２】
例えば遊技機の代表例の一つであるパチンコ機は、遊技球が流下可能な遊技盤に所要の図柄変動ゲームを行なう図柄表示装置や始動入賞装置等が配設されており、遊技盤面を流下する遊技球が始動入賞装置に入賞することで図柄表示装置での図柄変動ゲームを開始するようになっている。そして、図柄変動ゲームの結果、図柄表示装置に所定の図柄組合せ(大当り図柄)が表示されることで、遊技者に有利な特別遊技(所謂大当り)が発生するよう構成されている。そして、前記特別遊技が発生すると、前記遊技盤に配設した特別入賞装置を開放して遊技者に多数の賞球を払い出す好機を与えるようになっている。このように、特別遊技が発生するためには、前記図柄表示装置に所定の図柄の組合せが表示される必要があることから、遊技者の関心は図柄表示装置での図柄変動ゲームに向けられている。
【０００３】
ところで、近年のパチンコ機は、遊技者の注目度が高い前記図柄表示装置を大型化し、図柄変動ゲームの迫力を高めることにより遊技の興趣を向上させる傾向が強くなっている。しかしながら、図柄表示装置が配設される前記遊技盤の大きさには限界があることから、図柄表示装置を大型化すると、遊技盤における遊技球が流下し得るルートが限定され、該遊技球の動きに対する興趣が低下する問題が生ずる。そこで、特許文献１には、前記遊技盤を、裏側に配設したＬＥＤ等の演出部材や図柄表示装置を表側(遊技者側)から視認可能な透光性部材と、裏側を視認不能で、遊技釘を植設した不透光性部材とから構成すると共に、透光性部材および不透光性部材の表面が略同一面に位置するよう構成したパチンコ機が開示されている。すなわち、特許文献１に記載の遊技機は、透光性部材および不透光性部材の表面を略同一面に位置させることで、図柄表示装置や演出部材を大型化した場合であっても透光性部材の表面側を遊技球が流下して、多彩なルートで遊技球が流下し得るようになっている。ここで、前記透光性部材と不透光性部材の組付け構造としては、前記演出部材の前側に透光性部材を組付けた状態で、該演出部材および透光性部材を不透光性部材の開口部に前側から挿入して、演出部材の後端部側に形成したフック部材が不透光性部材の裏面側に係合することで各部材を組付けるよう構成される。
【特許文献１】特開２０００−４２１８１号公報(図５、図６)
【発明の開示】
【発明が解決しようとする課題】
【０００４】
しかしながら、前記透光性部材、演出部材あるいは不透光性部材に故障等が生じたときの交換作業や遊技機のメンテナンス作業等に際し、不透光性部材から透光性部材を取外す場合には、演出部材を不透光性部材から一旦取外して、その後に更に演出部材から透光性部材を取外す必要があることから、作業性に優れたものではなかった。また、演出部材に設けたフックが不透光性部材の裏側に係合するようになっているから、該演出部材の取外しに際しては、不透光性部材の裏側でフックの係合を解除すると共に、その状態で不透光性部材の開口部から演出部材を抜出す必要がある。すなわち、遊技盤(不透光性部材)を挟む前後で作業を行なう必要があることから、メンテナンス作業や交換作業等が繁雑となって時間が掛かる欠点も内在している。
そこで、本発明は、透光性部材を不透光性部材に対して容易に着脱可能な遊技盤を備えた遊技機を提供することを目的とする。
【課題を解決するための手段】
【０００５】
前記課題を克服し、所期の目的を達成するため、本願の請求項１に係る遊技機は、
遊技盤表側から背面側を視認不能で、所要形状の開口部(14)が開設された不透光性部材(12)と、
前記不透光性部材(12)の開口部(14)に着脱可能に挿入され、背面側に臨ませた演出手段(50)を表側から視認可能な透光性部材(20)と、
前記不透光性部材(12)に配設され、前記開口部(14)に挿入した透光性部材(20)を固定する固定位置および透光性部材(20)を取外し可能な固定解除位置へ操作し得る固定手段(30)とからなり、
前記透光性部材(20)を不透光性部材(12)の開口部(14)に挿入した状態で前記固定手段(30)を固定解除位置から固定位置へ操作することにより、該不透光性部材(12)に透光性部材(20)が固定され、該固定手段(30)を固定位置から固定解除位置へ操作することにより不透光性部材(12)の開口部(14)から透光性部材(20)を取外し得るよう構成された遊技盤(10)を設けたことを要旨とする。
【０００６】
このように、固定手段を操作して固定位置および固定解除位置の間で操作することにより、透光性部材を不透光性部材に着脱することができる。すなわち、固定手段を単に操作するだけで透光性部材を容易に着脱し得るから、メンテナンス作業や交換作業等の作業性の向上を図り得る。また、透光性部材および不透光性部材を必要に応じて交換し得るから、複数の機種において透光性部材または不透光性部材を共通部材として用いる場合には、リサイクル効率を向上して廃棄物の低減に寄与し得る。
【０００７】
請求項２に係る遊技機は、前記固定手段(30)は、前記不透光性部材(12)に形成した挿入孔(18)に回転可能に挿入される軸部(32)と、該軸部(32)の一方の端部に形成され、前記挿入孔(18)の外方に位置する突出部(36)と、該突出部(36)に形成されて前記透光性部材(20)に当接可能な固定部(38)と、該固定部(38)を固定位置および固定解除位置へ回動操作し得る操作部(40)と、該軸部(32)の他方の端部に形成されて半径方向へ突出し、前記不透光性部材(12)に設けられた係合部に係合して前記挿入孔(18)からの軸部(32)の脱落を防止する脱落防止部(42)とを備え、
前記操作部(40)の回動操作により前記固定部(38)を固定位置へ変位することで、該固定部(38)が前記透光性部材(20)に当接して不透光性部材(12)に透光性部材が固定され、該操作部(40)の回動操作により固定部(38)を固定解除位置へ変位することで、固定部(38)が透光性部材(20)から離間して不透光性部材(12)から透光性部材を取外し得ることを要旨とする。
【０００８】
この構成によれば、操作部を回動操作するだけの簡単な操作で透光性部材の着脱を行ない得るから、メンテナンス作業や交換作業等の作業性をより向上し得る。また、固定手段に脱落防止部を形成したことで、操作部の操作中に固定手段が不透光性部材から脱落することはない。
【０００９】
請求項３に係る遊技機は、前記透光性部材(20)は、平板状に形成されて前記開口部(14)に挿入される本体部(22)、および該本体部(22)の外周縁から外方へ延出する保持部(24,26)からなり、
前記不透光性部材(12)には、前記透光性部材(20)における本体部(22)の外郭形状に整合する寸法で前記開口部(14)が開設されると共に、前記保持部(24,26)に対応する位置に、該保持部(24,26)が嵌合可能な凹部(16,17)が形成され、
前記本体部(22)を開口部(14)に挿入すると共に前記保持部(24,26)を凹部(16,17)に嵌合した際に、該本体部(22)の表面が不透光性部材(12)の表面と略同一平面上に位置し、この状態で不透光性部材(12)および固定手段(30)により透光性部材(20)を挾持固定するようにしたことを要旨とする。
【００１０】
このように、前記透光性部材の保持部を不透光性部材の凹部に当接させた状態で、該不透光性部材および固定手段により透光性部材を挾持固定することで、当該透光性部材を確実に固定できる。また、前記透光性部材を挾持固定した際に、その表面が不透光性部材の表面と略同一平面上に位置するようにしたことで、透光性部材および不透光性部材の表面を流下する遊技球の動きに対して影響を及ぼすことを防止し得る。
【００１１】
請求項４に係る遊技機は、前記透光性部材(20)は非点対称な形状に形成されていることを要旨とする。
【００１２】
このように、前記透光性部材を非点対称な形状に形成することで、不透光性部材に対し透光性部材を適正な取付姿勢で固定することができる。
【発明の効果】
【００１３】
本発明に係る遊技機によれば、透光性部材を不透光性部材に対して容易に着脱することができる。
【発明を実施するための最良の形態】
【００１４】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」・「後」、および「左」・「右」とは、図１に示すようにパチンコ機の遊技盤を正面側(遊技者側)から見た状態で指称するものとする。
【実施例】
【００１５】
図１〜図３に示すように、実施例に係るパチンコ機の遊技盤１０は、略矩形状に形成されて表側から背面側を視認不能な不透光性部材１２と、該不透光性部材１２に開設した開口部１４に着脱可能に挿入されて表側から背面側を視認可能な透光性部材２０とから構成されて、該透光性部材２０の背面側に、各種図柄の変動・停止により図柄変動ゲームを展開する大型液晶式の図柄表示装置(演出手段)５０(図７(b)参照)が臨むようになっている。なお、前記図柄表示装置５０は、その表示面が前記透光性部材２０における後述する本体部２２と略同一の大きさに設定されており、該透光性部材２０を介して図柄表示装置５０の表示面のみを視認し得るよう構成される。ここで、不透光性部材１２としては、ベニヤ板等の木材やＡＢＳ樹脂等の透光性を有さない合成樹脂材が好適に採用され、透光性部材２０としては、アクリル樹脂等の透光性を有する合成樹脂材やガラス板が好適に採用される。
【００１６】
前記不透光性部材１２には、図１に示すように、略円形状に湾曲形成したレール１１が設けられており、該レール１１により囲まれた遊技領域１０ａにパチンコ球が打出されるよう構成されている。また、前記不透光性部材１２における前記開口部１４の下方位置には、パチンコ球が入賞可能な始動入賞装置(入賞装置)５２や特別入賞装置(入賞装置)５４等の各種入賞装置が配設されると共に、多数の遊技釘６０(図７(a),(b)に一部の遊技釘６０のみを簡略化して示してある)が植設されており、該遊技釘６０との接触によりパチンコ球が方向を変えつつ流下するようになっている。ここで、前記始動入賞装置５２内に配設した図示しないスイッチがパチンコ球を検出することで、前記図柄表示装置５０で図柄変動ゲームが開始され、該図柄変動ゲームの結果、特定の組合せで図柄が停止表示されることにより、特別遊技(所謂大当り)が発生して前記特別入賞装置５４が開放して多数の賞球を得る機会が付与されるようになっている。なお、前記不透光性部材１２には、前記特別入賞装置５４の近傍に、パチンコ球が入賞可能な一般入賞装置(入賞装置)５６が複数箇所に設けられており、該一般入賞装置５６へのパチンコ球の入賞時に所定数のパチンコ球を払出すよう設定されている。また、前記不透光性部材１２における遊技領域１０ａの最下方位置には、前記始動入賞装置５２や特別入賞装置５４、一般入賞装置５６に入賞しなかったパチンコ球を遊技盤１０の裏側へ排出するアウト口５８を設けてある。なお、前記不透光性部材１２には、その表面に所要の意匠を付与したセル板(図示せず)等が貼着されている。
【００１７】
一方、前記透光性部材２０には、多数の遊技釘６１(図７(a),(b)に一部の遊技釘６１のみを簡略化して示してある)が植設されており、前記遊技領域１０ａに打出されたパチンコ球は、前記不透光性部材１２に設けた前記遊技釘６０や透光性部材２０に設けた遊技釘６１との接触により方向を変えつつ流下して、前記不透光性部材１２の始動入賞装置５２や特別入賞装置５４、一般入賞装置５６に入賞するようになっている。ここで、前記透光性部材２０は、図３に示すように、平板状に形成されて前記不透光性部材１２の開口部１４に挿入される本体部２２と、該本体部２２の後側上縁部からその全長に亘って上方へ延出する第１フランジ部(保持部)２４と、本体部２２の後側下縁部からその全長に亘って下方へ延出する第２フランジ部(保持部)２６とが一体形成されて、該本体部２２の表面に前記遊技釘６１が多数植設されている。また、実施例では、前記本体部２２からの第１フランジ部２４の延出寸法は、該本体部２２からの第２フランジ部２６の延出寸法より短く設定してある(図３または図７(a),(b)参照)。すなわち、前記透光性部材２０は、その正面視において非点対称な形状に形成されている。なお、図１において、前記レール１１における透光性部材２０上に位置する部位は、該透光性部材２０に設けられて、不透光性部材１２上に位置するレール１１と連結するよう構成される。
【００１８】
前記不透光性部材１２に開設される前記開口部１４は、不透光性部材１２の中央やや上寄りの位置に、該不透光性部材１２の左右の略全幅で、かつ上下の概ね略１／２の大きさで開口するよう形成されており、前記遊技領域１０ａの大部分を開口部１４(すなわち透光性部材２０)が占めるよう構成されている(図１参照)。ここで、前記開口部１４は、前記透光性部材２０の本体部２２の外郭形状と整合する大きさに設定されている。また、前記不透光性部材１２における前記第１フランジ部２４と対応する位置には、該第１フランジ部２４に略整合する第１凹部(凹部)１６が形成されると共に、第２フランジ部２６と対応する位置には、該第２フランジ部２６に略整合する第２凹部(凹部)１７が形成されており、第１および第２フランジ部２４,２６の夫々が対応の第１および第２凹部１６,１７と嵌合するようになっている(図２または図７(b)参照)。更に、前記透光性部材２０の本体部２２を不透光性部材１２の開口部１４に挿入すると共に、前記第１および第２フランジ部２４,２６を各対応の第１および第２凹部１６,１７に嵌合した状態においては、該本体部２２の表面が不透光性部材１２の表面と略同一平面上に位置するよう構成されている(図６または図７(a)参照)。また、前記不透光性部材１２には、前記開口部１４の上方および下方において左右に離間する４箇所に前後に貫通する挿入孔１８(図６等参照)が夫々穿設されており、該挿入孔１８に取付けた固定具(固定手段)３０により、開口部１４に挿入した透光性部材２０を位置決め固定するようになっている。
【００１９】
図４または図５に示すように、前記固定具３０は、前記不透光性部材１２に形成した挿入孔１８に挿入可能な軸部３２と、該軸部３２の一方の端部(後側端部)に形成されて挿入孔１８より大径な基部３４と、該基部３４に形成されて、軸部３２の半径方向へ延出する突出部３６と、該突出部３６の端部前側(不透光性部材１２側)に突出形成されて、前記開口部１４に挿入した透光性部材２０に当接可能な固定部３８と、該突出部３６における裏側(不透光性部材１２と対向しない面)に突出形成されて、作業者の手指により操作可能な操作部４０と、該軸部３２の他方の端部(前側端部)に形成されて半径方向へ突出し、不透光性部材１２の表側における挿入孔１８の開口端縁に係脱可能に係合する脱落防止部４２とが、合成樹脂製の一体成形品として構成されている。すなわち、前記不透光性部材１２における挿入孔１８の開口端縁が、前記脱落防止部４２と係脱自在に係合する係合部として機能する。また、前記軸部３２および脱落防止部４２には、縦断面十字状のスリット４４が形成されており、脱落防止部４２の半径方向内方への弾性変形を許容するようになっている。
【００２０】
すなわち、前記挿入孔１８の後方に前記固定具３０の軸部３２を整列したもとで固定具３０を不透光性部材１２側に移動すると、前記脱落防止部４２が不透光性部材１２の裏側における挿入孔１８の開口端縁に当接する。この状態で前記固定具３０を不透光性部材１２側に移動すると、前記脱落防止部４２の半径方向内方への弾性変形を伴って挿入孔１８内に脱落防止部４２が挿入され、更に固定具３０を移動して脱落防止部４２が挿入孔１８から抜出ると、脱落防止部４２が弾性復帰して不透光性部材１２の表側における挿入孔１８の開口端縁に係合する。このとき、前記基部３４が不透光性部材１２の裏面に当接することにより、該固定具３０の前後方向への移動が規制される。ここで、前記軸部３２は前記挿入孔１８より僅かに小径に形成されており、該軸部３２を挿入孔１８に挿入した状態では、作業者が前記操作部４０を回動操作し得るようになっている。なお、前記固定具３０に脱落防止部４２を形成したことで、前記操作部４０の回動操作中に、該固定具３０が不透光性部材１２から脱落することはない。
【００２１】
ここで、前記突出部３６および固定部３８は、前記操作部４０の回動操作により、前記開口部１４側へ突出部３６を指向させた際に、該固定部３８が対応する前記第１または第２凹部１６,１７の後方に臨むようになっている(図６参照)。すなわち、前記固定部３８は、前記開口部１４に挿入した透光性部材２０の第１または第２フランジ部２４,２６の裏側に当接する固定位置(図２または図７(b)参照)と、該フランジ部２４,２６から離間する固定解除位置(図３または図７(a)参照)との間を変位し得るようになっている。換言すると、前記固定部３８を固定位置へ変位した状態では、前記透光性部材２０のフランジ部２４,２６を固定部３８と不透光性部材１２の第１または第２凹部１６,１７との間で挾持固定することにより、前記開口部１４に透光性部材２０が固定され、該固定部３８を固定解除位置へ変位した状態では、固定部３８および不透光性部材１２の第１または第２凹部１６,１７による挾持固定が解除されることで、該開口部１４に対する透光性部材２０の着脱が許容される。
【００２２】
〔実施例の作用〕
次に、前述のように構成した実施例に係るパチンコ機の作用につき説明する。前記透光性部材２０を不透光性部材１２に組付けるに際しては、不透光性部材１２の挿入孔１８に取付けた各固定具３０を、前記操作部４０の回動操作により前記固定解除位置へ変位させる。そして、前記不透光性部材１２の開口部１４に透光性部材２０の本体部２２を挿入すると共に、透光性部材２０の第１フランジ部２４および第２フランジ部２６を不透光性部材１２の対応する第１および第２凹部１６,１７に嵌合する。この状態で、前記固定具３０の操作部４０を回動操作し、前記固定部３８を固定解除位置から固定位置へ変位することにより、該固定部３８が透光性部材２０(第１フランジ部２４および第２フランジ部２６)の裏面に当接する。すなわち、前記透光性部材２０の前方への移動は、前記第１および第２フランジ部２６が対応の第１または第２凹部１６,１７に当接することにより規制され、後方への移動は、第１および第２フランジ部２６に固定具３０の固定部３８が当接することにより規制される。また、前記開口部１４に本体部２２を挿入することにより、透光性部材２０の上下および左右方向への移動が規制されるから、透光性部材２０を所定位置に保持することができる。更に、前記透光性部材２０の第１および第２フランジ部２６の表面側を不透光性部材１２の対応する第１および第２凹部１６,１７に当接させた状態で、該第１および第２フランジ部２６の裏面側に前記固定部３８を当接させることで、当該第１および第２フランジ部２６を不透光性部材１２と固定部３８とにより挾持固定するから、透光性部材２０を確実に固定できる。
【００２３】
また、実施例では、前記透光性部材２０の本体部２２からの第１フランジ部２４の延出寸法と、該本体部２２からの第２フランジ部２６の延出寸法を異ならせると共に、前記不透光性部材１２の第１および第２凹部１６,１７を、各対応のフランジ部２４,２６と整合する形状に形成してある。従って、前記不透光性部材１２の開口部１４に対して、前記透光性部材２０を上下反対の姿勢で挿入しようとした場合には、前記第１および第２フランジ部２４,２６が第１および第２凹部１６,１７と嵌合しないから、不透光性部材１２に対して透光性部材２０を不適正な取付姿勢で固定するのを防止することができる。このため、透光性部材２０を不透光性部材１２に組付けた状態で、該透光性部材２０に植設した遊技釘６１を所定の並びで配置し得るから、設計段階で定めた条件の下で確実に遊技を行なわせることができる。また、例えば前記透光性部材２０にパチンコ球が転動する球通路部材等を取付ける構成の場合には、前記開口部１４に透光性部材２０を上下反対の姿勢で取付けると、該球通路部材が所期の機能を発揮し得なくなる虞がある。これに対して、実施例では、前記開口部１４に透光性部材２０を適正な取付姿勢で確実に組付け得るから、球通路部材に所期の機能を発揮させ得る利点がある。
【００２４】
一方、前記透光性部材２０を不透光性部材１２から取外すに際しては、不透光性部材１２に取付けた各固定具３０の固定部３８を、前記操作部４０の回動操作により固定位置から固定解除位置へ変位させる。そして、この状態で、前記不透光性部材１２の開口部１４から透光性部材２０を抜出すことにより、前記透光性部材２０は不透光性部材１２から取外すことができる。このように、固定具３０を操作して固定部３８を固定位置および固定解除位置の間で操作するだけで、透光性部材２０を不透光性部材１２の開口部１４に対して容易に着脱することが可能である。従って、前記透光性部材２０や不透光性部材１２等に損傷等の不具合が生じた際に、透光性部材２０および不透光性部材１２の交換作業やメンテナンス作業等の作業性を向上し得る。
【００２５】
また、透光性部材２０および不透光性部材１２の一方のみを必要に応じて交換し得るから、遊技盤１０や図柄表示装置５０を交換してパチンコ機の遊技性を変更する所謂機種変更等に際し、廃棄物の低減を図り得る。殊に、前記透光性部材２０や不透光性部材１２を複数の機種で共通部材として用いる場合には、リサイクル効率の向上に寄与し得る利点もある。具体的には、所謂機種変更時に透光性部材２０または不透光性部材１２を交換した際に、不要となった透光性部材２０または不透光性部材１２を別のパチンコ機の遊技盤１０の部材として利用することができ、廃棄物の低減を図り得る。また、実施例のように、不透光性部材１２に始動入賞装置５２や特別入賞装置５４、一般入賞装置５６等の入賞装置を配設することにより、該不透光性部材１２を交換した場合には遊技盤１０全体の印象を大きく変更し得ると共に、透光性部材２０に遊技釘６１を植設することで、該透光性部材２０を交換した場合には遊技盤１０におけるパチンコ球の流下ルートを容易に変更することができる。このように、前記透光性部材２０または不透光性部材１２の何れかを交換するだけで、パチンコ機の遊技性を容易に変更し得るから、透光性部材２０や不透光性部材１２の汎用性を向上し得る利点もある。
【００２６】
また、前記透光性部材２０を不透光性部材１２に組付けた際に、透光性部材２０における本体部２２の表面と不透光性部材１２の表面とが略同一平面上に位置するようにしたことで、遊技領域１０ａ(透光性部材２０および不透光性部材１２の表面)を流下するパチンコ球の動きに対して不要な影響を及ぼすことはない。すなわち、前記透光性部材２０と不透光性部材１２とを組付けた際にこれら部材間に段差があると、この段差部分で遊技領域１０ａを流下するパチンコ球が予期しない方向に弾かれて、所期の遊技が展開されない虞があるが、実施例のように透光性部材２０における本体部２２の表面と不透光性部材１２の表面とを略同一平面上に位置させることで、このような不具合を防止することができる。
【００２７】
〔変更例〕
なお、本発明に係る遊技機としては、実施例のものに限られるものではなく、種々の変更が可能である。
実施例では、透光性部材における本体部の上下の端縁部から延出する保持部(フランジ部)の延出寸法を異ならせることで、透光性部材を適正な取付姿勢で取付け得るようにしたが、この構成に限定されるものではない。例えば、透光性部材の本体部における上下の端縁部から延出する保持部の形状を異ならせたり、該保持部を形成する位置を対称とならない関係で異ならせるようにしてもよい。また、透光性部材における本体部の外郭形状を変更することによっても同様の作用効果を得ることが可能である。すなわち、前記透光性部材(本体部または保持部)を、正面視において非点対称な形状に形成することで、不透光性部材に対し透光性部材を適正な取付姿勢で固定することができる。
【００２８】
実施例では、不透光性部材に遊技領域より大きな開口部を開設したが、該遊技領域の内側だけで開口させるようにしてもよい。このとき、前記開口部を非点対称な形状とすることで、前述と同様に、透光性部材を適正な取付姿勢で取付けることが可能となる。
【００２９】
実施例では、不透光性部材の裏側から透光性部材を組付けるようにしたが、不透光性部材の前側に凹部を形成し、当該不透光性部材の表側から透光性部材を組付けるよう構成することも可能である。
【００３０】
前記透光性部材を不透光性部材に固定する固定手段の形状・構成に関しては、実施例のものに限定されるものではなく、任意に変更することができる。例えば、実施例では、固定手段を回動操作する操作部を突出部に形成するようにしたが、基部側に形成するようにしてもよく、更には突出部および基部に亘って形成することも可能である。
【００３１】
実施例では、前記固定手段を取付ける挿入孔を、前記不透光性部材に一定の径で前後に貫通するよう形成したが、これに限定されるものではない。例えば、図８に示すように、前記挿入孔１８を、固定具３０の軸部３２を挿入可能な小径部６５と、該小径部６５より大径に形成されて、内側に脱落防止部４２が臨む大径部６７とからなる段付通孔状に形成するようにしてもよい。この場合には、前記小径部６５に固定具３０の脱落防止部４２を挿入し、該脱落防止部４２が前記大径部６７に到ったときに弾性復帰して不透光性部材１２と係合する。このとき、前記大径部６７内に脱落防止部４２を収容することで、不透光性部材１２の表面から脱落防止部４２が突出しないようにすることができる。更に、前記不透光性部材１２の表面側に貼着するセル板等により、前記挿入孔１８(大径部６７)を被覆することで、不透光性部材１２の表面に段差が生ずるのを防止し得る。
【００３２】
実施例では、本発明をパチンコ機に用いられる遊技盤を例にして説明したが、これに限定されるものではなく、遊技球が流下する遊技盤を備えた遊技機であれば、アレンジボール機等の従来公知の各種遊技機に好適に採用し得る。
【００３３】
なお、本発明に係る遊技機に関しては、以下に示す具体的構成に限定することも可能である。
(Ａ) 請求項１〜４の何れかに記載の遊技機に関し、前記不透光性部材(12)は木材から形成されると共に、前記透光性部材(20)は合成樹脂材から形成されて、該不透光性部材(12)に入賞装置(52,54,56)を配設し、透光性部材(20)に遊技釘(61)を植設する。
このように、前記不透光性部材に入賞装置を配設し、前記透光性部材に遊技釘を植設することで、不透光性部材を交換するだけで遊技盤全体の印象を大きく変更することができる。一方、透光性部材を交換するだけで遊技球が流下し得るルートを容易に変更することもできる。
【図面の簡単な説明】
【００３４】
【図１】実施例に係るパチンコ機の遊技盤の正面図である。
【図２】実施例に係る遊技盤を背面側から視た状態を示す斜視図である。
【図３】図２に示す遊技盤の不透光性部材と透光性部材とを分解した状態を示す斜視図である。
【図４】実施例に係る固定具の斜視図である。
【図５】実施例に係る固定具の平面図である。
【図６】実施例に係る遊技盤を縦断して示す要部拡大図であって、固定具により透光性部材を不透光性部材に固定した状態を示す。
【図７】実施例に係る遊技盤の縦断側面図であって、(a)は不透光性部材の開口部から透光性部材を取外した状態を示し、(b)は不透光性部材の開口部に透光性部材を組付けた状態を示す。
【図８】変更例に係る遊技盤を縦断して示す要部拡大図であって、(a)は不透光性部材の挿入孔を示し、(b)は挿入孔に固定具を取付けた状態を示す。
【符号の説明】
【００３５】
１２  不透光性部材，１４  開口部，１６  第１凹部(凹部)，１７  第２凹部(凹部)
１８  挿入孔，２０  透光性部材，２２  本体部，２４  第１フランジ部(保持部)
２６  第２フランジ部(保持部)，３０  固定具(固定手段)，３２  軸部，３６  突出部
３８  固定部，４０  操作部，４２  脱落防止部，５０  図柄表示装置(演出手段)
５２  始動入賞装置(入賞装置)，５４  特別入賞装置(入賞装置)
５６  一般入賞装置(入賞装置)，６１  遊技釘
【図１】
2006311954.tif 000003
【図２】
2006311954.tif 000004
【図３】
2006311954.tif 000005
【図４】
2006311954.tif 000006
【図５】
2006311954.tif 000007
【図６】
2006311954.tif 000008
【図７】
2006311954.tif 000009
【図８】
2006311954.tif 000010